(57)【要約】【課題】整定値の異常による誤動作防止、および強制リレーロックを確実、容易にする。【解決手段】入力部１は電流検出値ｉをメモリに順次保存／更新し、実効値演算部２は実効値｜ｉ｜を求め、整定値設定部３は過電流整定値ｋ５１をメモリに記憶し、比較部４は｜ｉ｜≧ｋ５１のときに保護動作出力を得、リレー出力部５は保護動作出力が一定時間継続したときに保護系統のしゃ断器トリップ指令を発生する。リレーロック部６は、整定値があらかじめ指定されたサイン符号と反対の場合はリレーの動作出力をロックするリレーロック手段を備える。リレーロック手段は、整定値のサイン符号を強制反転させることによってリレー動作出力をロックする強制リレーロック機能、保護動作が不要の場合にリレー動作出力をロックする誤動作防止リレーロック機能を含む。【選択図】  図１
2004282904.tif 000002
【特許請求の範囲】
【請求項１】
保護対象となる系統の電流、電圧、位相等の検出入力とサイン符号付きの整定値との大小比較によって保護動作の要否を判定し、保護動作を必要とするときにリレー出力を得るディジタル形保護継電器において、
前記整定値があらかじめ指定されたサイン符号と反対の場合はリレーの動作出力をロックするリレーロック手段を備えたことを特徴とするディジタル形保護継電器。
【請求項２】
前記リレーロック手段は、前記整定値のサイン符号を強制反転させることによってリレー動作出力をロックする強制リレーロック手段を備えたことを特徴とする請求項１に記載のディジタル形保護継電器。
【請求項３】
前記リレーロック手段は、保護動作が不要の場合にリレー動作出力をロックする誤動作防止リレーロック手段を備えたことを特徴とする請求項１または２に記載のディジタル形保護継電器。
【発明の詳細な説明】
【０００１】
【発明の属する技術分野】
本発明は、ディジタル形保護継電器に係り、特にリレーロックに関する。
【０００２】
【従来の技術】
ディジタル形保護継電器は、保護対象とする系統から検出した入力と、あらかじめ設定された整定値とを比較して動作判定を行っている。例えば、過電流継電器の保護演算は以下の判定で保護動作を得る（例えば、特許文献１参照）。
【０００３】
Ｉ２≧ｋ５１
Ｉ２：電流実効値の自乗値
ｋ５１：電流実効値の自乗値と比較するための整定値
ディジタル形保護継電器にリレーロック機能は、以下のものがある。
【０００４】
（１）整定値異常時のリレーロック機能
ｋ５１の整定値は＋値（正値）であり、電流入力Ｉがｋ５１整定値を越えた場合に動作する。ここで、ｋ５１整定値が何らかの理由で−値（負値）になると、電流入力Ｉが無い場合（零値）でも−値の整定値と比較するので常時動作となってしまう（誤動作）。
【０００５】
この誤助作を防止するため、整定値の監視を行い、異常時にはすべてのリレーをシーケンスによりロックしている。
【０００６】
（２）パネル整定値によるリレーロック機能
系統の保護条件によりリレーを不使用にする場合、パネル整定値をある特定の値にすることによってリレーロック機能を実現している。
【０００７】
このリレーロック方法は、例えば、ｋ５１整定値を通常使用しない最大値（９９９９）にしておくことで、電流Ｉが演算アルゴリズムからｋ５１整定値の最大値にはならないため、リレーロックと等価になる。
【０００８】
なお、パネル整定値とは、操作員のパネル操作により、当該リレーが動作するレベルを整定する値で、その整定値を実際のリレー演算に使用するにはＬＳＢ、演算ゲインを考慮した値に変換する。
【０００９】
【特許文献１】
特開平０５−１６１２４６号
【００１０】
【発明が解決しようとする課題】
ディジタル形保護継電器の動作判定は、Ａ／Ｄ変換された系統入力から実効値を演算し、整定値と比較して動作判定を行っている。このため、整定値が＋値であったり−値であったりするが、整定値のサイン符号が反転するとリレーが誤動作する問題があった。この整定値のサイン符号が反転する原因は、例えば、メモリ不良である。
【００１１】
一方、パネル整定値でリレーロックする場合、整定値を最大値にしてロックを行っているため、入力量の最大値を設定入力する必要があるが、整定値の最大レンジが３桁か４桁かなどを検証しておく必要があり、誤設定の恐れがあるし、整定に手間取る問題があった。
【００１２】
本発明の目的は、上記の課題を解決したディジタル形保護継電器を提供することにある。
【００１３】
【課題を解決するための手段】
本発明は、前記の課題を解決するため、リレーの整定値があらかじめ指定されたサイン符号と反対の場合はリレーの動作出力をロックするリレーロック手段および整定値のサイン符号を強制反転させることによって動作出力をロックする強制リレーロック手段、さらに保護動作が不要の場合に動作出力をロックする誤動作防止リレーロック手段を設けたもので、以下の構成を特徴とする。
【００１４】
（１）保護対象となる系統の電流、電圧、位相等の検出入力とサイン符号付きの整定値との大小比較によって保護動作の要否を判定し、保護動作を必要とするときにリレー出力を得るディジタル形保護継電器において、
前記整定値があらかじめ指定されたサイン符号と反対の場合はリレーの動作出力をロックするリレーロック手段を備えたことを特徴とする。
【００１５】
（２）前記リレーロック手段は、前記整定値のサイン符号を強制反転させることによってリレー動作出力をロックする強制リレーロック手段を備えたことを特徴とする。
【００１６】
（３）前記リレーロック手段は、保護動作が不要の場合にリレー動作出力をロックする誤動作防止リレーロック手段を備えたことを特徴とする。
【００１７】
【発明の実施の形態】
図１は、本発明の実施形態を示す過電流リレーの演算ブロック図である。系統入力（電流）データ入力部１は、保護対象系統の電流検出値ｉをオンラインでＡ／Ｄ変換した値をメモリに順次保存および更新する。
【００１８】
実効値演算部２は、電流検出値ｉの実効値｜ｉ｜を演算で求める。整定値設定部３は、設定された過電流整定値ｋ５１をメモリに記憶する。
【００１９】
比較部４は、実効値｜ｉ｜と整定値ｋ５１との大小を比較し、｜ｉ｜≧ｋ５１のときに保護動作出力を得る。
【００２０】
リレー出力部５は、比較部４から保護動作出力が一定時間継続したときに保護系統のしゃ断器トリップ指令を発生する。
【００２１】
リレーロック部６は、整定値ｋ５１の異常チェックによるリレーロック機能と、整定値操作による強制リレーロック機能と、保護動作が不要の場合に動作出力をロックさせる誤動作防止リレーロック機能を備える。
【００２２】
このうち、整定値の異常チェックによるリレーロックは、例えば、整定値ｋ５１が−値（負の値）ならば比較部４による保護動作判定にかかわらずその出力の抑止でリレーロックする。強制リレーロックは、比較部４に取り込まれる整定値ｋ５１が通常時では＋値（ゼロを含む正の値）であるため、その正負を反転させた−値にセットし、これにより整定値が異常チェックされ、その結果としてリレーロックを得る。誤動作防止リレーロックは、比較部４による比較結果が保護不要の場合に誤ってリレー出力されるのをリレーロックで防止する。
【００２３】
図２は、本実施形態を過電流リレーに適用した場合の動作判定フローを示す。
電流検出値の入力データを基に実効値演算を行い（Ｓ１）、この演算結果｜ｉ｜と整定値ｋ５１と比較してリレー動作の要否を判定する（Ｓ２）。
【００２４】
この後、整定値の異常チェックのため、整定値が−値か否かをチェックする（Ｓ３）。このチェックで整定値が−値であるときはリレーロックを行う（Ｓ４）。
【００２５】
整定値が＋値であるとき、実効値と整定値の比較結果からリレー動作の要否をチェックし（Ｓ５）、リレー動作であれば、リレー出力を実行する（Ｓ６）。また、リレー動作でなければ、リレーロック（Ｓ４）に分岐し、リレー出力が誤って実行されるのを防止する。
【００２６】
なお、上記の整定値チェック（Ｓ３）は、整定値が通常−値で使用の場合は整定値が＋値ならばリレーロックに分岐する。この場合、強制リレーロックには整定値に＋値にセットする。
【００２７】
以上までの実施形態では、過電流リレーに適用した場合を示すが、検出零相電流を基にした地絡リレーや、検出電圧を基にした過電圧リレーや、検出電圧の位相を基にした方向リレーなど、他のリレー要素に適用して同等の作用効果を得ることができる。
【００２８】
【発明の効果】
以上のとおり、本発明によれば、リレーの整定値があらかじめ指定されたサイン符号と反対の場合はリレーの動作出力をロックするリレーロック手段および整定値のサイン符号を強制反転させることによって動作出力をロックする強制リレーロック手段、さらに保護動作が不要の場合に動作出力をロックする誤動作防止リレーロック手段を設けたため、以下の効果がある。
【００２９】
・メモリ不良による整定値のサイン符号が反転した場合に確実にリレーロックすることができる。
【００３０】
・整定値の反転で強制リレーロックできるため、新たなリレーロックのシーケンスを組む必要性がない。
【００３１】
・整定値によるリレーロックとメモリ不良による誤動作防止を同時に対処できる。
【図面の簡単な説明】
【図１】本発明の実施形態を示す過電流リレーの演算ブロック図。
【図２】本発明の実施形態における過電流リレーの動作判定フロー。
【符号の説明】
１…系統入力データ入力部
２…実効値演算部
３…整定値設定部
４…比較部
５…リレー出力部
６…リレーロック部
【図１】
2004282904.tif 000003
【図２】
2004282904.tif 000004